(57)【要約】【課題】爪にジェルネイルやネイルチップを装着または除去する場合に、爪を傷つけないようにするためのネイル用保護シールを提供する。【解決手段】裏面にアクリル樹脂系粘着剤を塗り付けた、表面がごく薄い樹脂性のシールを、装着したい爪に密着するように貼り付ける。【選択図】図４
2017056163.tif 000002
【特許請求の範囲】
【請求項１】
表面が薄い樹脂性のシールで、裏面が化粧品仕様のアクリル樹脂系粘着剤で構成される、ネイル用保護シール。
【請求項２】
アクリル樹脂系粘着剤が、アクリル酸エステル共重合物と酢酸エチルを主成分とし、粘着付与樹脂とトルエンと酢酸ビニルを少量加えた構成からなる、請求項１に記載のネイル用保護シール。
【発明の詳細な説明】
【技術分野】
【０００１】  本発明は、爪にジェルネイルやネイルチップを装着または除去する場合に、爪を傷つけないようにするためのネイル用保護シールに関するものである。
【背景技術】
【０００２】  従来、光硬化型ジェルネイルを爪に装着する場合には、まず、爪の表面をヤスリ等でこすり爪の表面に軽く傷をつけ、次に爪の表面にベースジェルを塗り、塗ったベースジェルを発行ダイオード（以下「ＬＥＤ」と表記する）または紫外線（以下「ＵＶ」と表記する）の光で照射する。【０００３】  上記の、ベースジェルを塗り、ＬＥＤまたはＵＶの光で照射するという作業を数回繰り返して、ベースジェルを爪に固定させる【０００４】  次に、爪に固定させたベースジェルの上にトップジェルを塗り、ＬＥＤまたはＵＶの光で照射する。
上記の、トップジェルを塗り、ＬＥＤまたはＵＶの光で照射する作業を数回繰り返すことにより、ベースジェルの上にトップジェルを固定させ、ジェルネイルを完成させていた。【０００５】  一方、上記の方法で爪に固定させたジェルネイルを爪から除去する場合は、アセトンまたは酢酸エチルのような溶剤を含んだ除去液を綿に染み込ませ、その綿を除去したいジェルネイル上に置き、ジェルネイルと綿をアルミホイルで包み、除去液によってジェルネイルの樹脂を軟化させた後、ネイルスティック等を用いてジェルネイルを爪の表面からこそぎとっていた。【０００６】  しかしながら、従来の方法でジェルネイルを爪に装着する場合には、爪の表面に傷をつけるために爪を傷めてしまい、またジェルネイルを爪から除去する場合には、アセトンなどを使用するため、爪の周りの皮膚を脱脂しやすく、爪先を傷めやすいという欠点があった。
【先行技術文献】
【特許文献】
【０００７】
【特許文献１】  特開２０１３−４３８５３号公報
【特許文献２】  特開２０１３−１７７３６２号公報
【特許文献３】  特開２０１４−９４９００号公報
【特許文献４】  特開２０１５−８６１４８号公報
【発明の概要】
【発明が解決しようとする課題】
【０００８】  本発明は、ジェルネイルを爪に装着する場合に、爪の表面に傷をつけることなく、またジェルネイルを爪から除去する場合に、アセトンなどの除去液で爪の周りの皮膚を傷めることのない、ジェルネイルの着脱方法を提供することを目的としている。
【課題を解決するための手段】
【０００９】  上記課題を解決するために本発明では、ジェルネイルを爪に装着する場合には、この接着シールの裏面を、装着したい爪に密着するように貼り付ける。この接着シールは、表面がごく薄い樹脂性のシールになっており、裏面にはアクリル樹脂系粘着剤を塗り付けている。【００１０】  上記のアクリル樹脂系粘着剤は、アクリル酸エステル共重合物と酢酸エチルを主成分とし、それに粘着付与樹脂とトルエンと酢酸ビニルを少量加えたものから構成されている。【００１１】  また、このアクリル樹脂系粘着剤は、皮膚貼付用として医療部門でも使用されているもので、市販されている工業用粘着剤ではなく、化粧品として安全に使用することができ、皮膚や爪に対する接着性にすぐれ、かつ適度な凝集力があり、残存モノマーが少なく、乾燥後の臭気も少ない。【００１２】  次に、爪に貼り付けた接着シールの上面にベースジェルを塗り、ＬＥＤまたはＵＶの光で照射してベースジェルを固定化する。【００１３】  次に固定化したベースジェルの上面に、トップジェルを塗り、ＬＥＤまたはＵＶの光で照射して、ベースジェルの上にトップジェルを固定化させ、ジェルネイルを完成させる。【００１４】  ジェルネイルを爪から除去する場合には、少し粘着力の強めな絆創膏を皮膚から剥がすような感覚で、ジェルネイル及び接着シールをゆっくりと爪から除去する。【００１５】  この時、接着シールのアクリル樹脂系粘着剤が爪に残っていても、別の爪で軽くこすりながら石鹸などで入念に洗い落とせば、アクリル樹脂系粘着剤を完全に除去することができる。
【発明の効果】
【００１６】  本発明は上記のような構成となっているため、ジェルネイルを爪に装着する場合には、爪の表面に傷をつけることなくジェルネイルを装着でき、またジェルネイルを爪から除去する場合には、アセトンなどの除去液で爪の周りの皮膚を傷めることがなく、無理なくジェルネイルを除去できる。
【図面の簡単な説明】
【００１７】
【図１】ネイル用保護シールの平面図。
【図２】ネイル用保護シールの底面図。
【図３】ネイル用保護シールの右側面図。
【図４】ネイル用保護シールを爪に装着する直前の図。
【図５】ネイル用保護シールを爪に装着した正面図。
【発明を実施するための形態】
【００１８】  まず、ジェルネイルを爪に装着する場合には、この接着シールの裏面を、装着したい爪に密着するように貼り付ける。この時、爪と接着シールの間に空気が入らないように注意する必要がある。
【００１９】このように爪に貼り付けた接着シールは、皮膚や爪に対する接着性にすぐれているため、少しの衝撃では爪から剥がれることがなく、また水に濡れても剥がれる心配がない。
【００２０】  また、接着シールに使用しているアクリル樹脂系粘着剤は、皮膚貼付用として医療部門でも使用されているもので、化粧品として安全に使用することができるため、皮膚や爪を傷つける心配がない。
【００２１】  次に、爪に貼り付けた接着シールの上面にベースジェルを塗り、塗った所をＬＥＤまたはＵＶの光で数分間照射する。その後、照射したベースジェルの上面に再びベースジェルを塗り、再びＬＥＤまたはＵＶの光で数分間照射する。
【００２２】  この、ベースジェルを塗りＬＥＤまたはＵＶの光で数分間照射するという作業を数回繰り返すと、ベースジェルが接着シールの上面に固定する。このような工程でジェルネイルを完成させる。
【００２３】  上記のような方法で完成させたジェルネイルは、使用したアクリル樹脂系粘着剤が皮膚や爪に対する接着性にすぐれ、かつ適度な凝集力があるので、ある程度の衝撃にも爪からジェルネイルが剥がれ落ちることがなく、また耐水性もあるので、水仕事などをしても爪から剥がれ落ちることがない。
【００２４】  上記の方法で爪に固定させたジェルネイルを爪から除去する場合には、従来のようにアセトン等の除去液を使用しないで、少し粘着力の強めな絆創膏を皮膚から剥がすような感覚で、ジェルネイルを爪から除去することができる。
【００２５】  ジェルネイルを爪から剥がした後、アクリル樹脂系粘着剤が爪に残っている場合には、残っているアクリル樹脂系粘着剤を別の爪で軽くこすりながら石鹸などで洗い落とせば、アクリル樹脂系粘着剤を完全に除去することができる。
【産業上の利用可能性】
【００２６】  本発明は、ジェルネイルを爪に装着、除去する時に、爪を傷めずにしかも手軽に行える方法を提供することができるので、ネイルアートを業務内容とする産業で有用である。
【符号の説明】
【００２７】１  樹脂性シール
２  アクリル樹脂系粘着剤
３  爪
４  指
【図１】
2017056163.tif 000003
【図２】
2017056163.tif 000004
【図３】
2017056163.tif 000005
【図４】
2017056163.tif 000006
【図５】
2017056163.tif 000007